【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
標準化された転送フォーマットに従った転送のためにフォーマットされた映像信号を供給する方法であって、前記標準化された転送フォーマットは、選択可能な基本ストリーム、及び、前記標準化された転送フォーマットに従った共通構造を持ち、前記基本ストリームの選択された組み合わせにおいてレンダリングされるオーディオビジュアルコンテンツを表す基本ストリームを示すエントリを持つストリーム情報を規定しており、各基本ストリームは、映像コンテンツ、オーディオコンテンツ、グラフィックコンテンツのいずれかを表しており、
前記フォーマットされた映像信号は、輝度及び／又は色の標準範囲を持つ標準映像に対し、輝度及び／又は色の拡張範囲を持つ拡張映像を表しており、前記標準範囲は、前記標準化された転送フォーマットにおいて規定されており、
前記方法は、
前記標準映像と前記拡張映像との間の変換を表す映像処理メタデータを供給するために、入力映像を処理するとともに、前記標準映像を表す一次映像基本ストリームを生成するステップ、又は、
前記拡張映像と前記標準映像との間の変換を表す映像処理メタデータを供給するために、入力映像を処理するとともに、前記拡張映像を表す一次映像基本ストリームを生成するステップ
を有し、
前記方法は、更に、
前記共通構造を持つがオーディオビジュアルコンテンツを有さず、前記選択された組み合わせをレンダリングする際の変換のための前記映像処理メタデータを有する映像処理基本ストリームを生成するステップと、
前記一次映像基本ストリームを示すエントリ及び前記映像処理基本ストリームを示すエントリを少なくとも有する拡張ストリーム情報を生成するステップと、
前記一次映像基本ストリーム、前記映像処理基本ストリーム、及び、前記拡張ストリーム情報を有する前記フォーマットされた映像信号を生成するステップと、
を有し、
前記映像処理基本ストリームにおける前記映像処理メタデータが、映像及びグラフィックと、サブタイトルのうちの少なくとも１つとを有する各データタイプのための前記変換をそれぞれ規定している複数の異なる処理記述子を有する拡張範囲情報フィールドを有する、方法。
【請求項２】
前記方法が、前記変換のために、前記一次映像基本ストリームにおける前記映像に対して可逆マッピングを適用することによって可逆的な変形を適用するステップを有し、
前記映像処理基本ストリームにおける前記映像処理メタデータが、前記マッピング上の情報を有する、請求項１記載の方法。
【請求項３】
前記フォーマットされた映像信号は、第１の転送ストリーム及び第２の転送ストリームを持ち、前記方法は、
前記第１の転送ストリームにおいて、前記一次映像基本ストリームを含み、
前記第２の転送ストリームにおいて、前記映像処理基本ストリームを含む、請求項１又は２に記載の方法。
【請求項４】
前記方法は、
媒体を介して、前記第１の転送ストリームを転送するステップと、
ネットワークを介して、前記第２の転送ストリーム及び前記拡張ストリーム情報を転送するステップと、
を有する、請求項３記載の方法。
【請求項５】
標準化された転送フォーマットに従った転送のためにフォーマットされた映像信号を供給するための映像処理装置であって、前記標準化された転送フォーマットは、選択可能な基本ストリーム、及び、前記標準化された転送フォーマットに従った共通構造を持ち、前記基本ストリームの選択された組み合わせにおいてレンダリングされるオーディオビジュアルコンテンツを表す基本ストリームを示すエントリを持つストリーム情報を規定しており、各基本ストリームは、映像コンテンツ、オーディオコンテンツ、グラフィックコンテンツのいずれかを表しており、
前記フォーマットされた映像信号は、標準範囲を持つ標準映像コンテンツに対し、輝度及び／又は色の拡張範囲を持つ拡張映像を表しており、前記標準範囲は、前記標準化された転送フォーマットにおいて規定されており、
前記処理装置は、
入力映像を処理するための映像処理ユニットと、
前記フォーマットされた映像信号を生成するためのフォーマットユニットと、
を有し、
前記映像処理ユニット及び前記フォーマットユニットは、
前記標準映像と前記拡張映像との間の変換を表す映像処理メタデータを供給するために、入力映像を処理するとともに、前記標準映像を表す一次映像基本ストリームを生成する、又は、
前記拡張映像と前記標準映像との間の変換を表す映像処理メタデータを供給するために、入力映像を処理するとともに、前記拡張映像を表す一次映像基本ストリームを生成する、ように構成されており、
前記フォーマットユニットは、更に、
前記共通構造を持つがオーディオビジュアルコンテンツを有さず、前記選択された組み合わせをレンダリングする際の変換のための前記映像処理メタデータを有する映像処理基本ストリームを生成し、
前記一次映像基本ストリームを示すエントリ及び前記映像処理基本ストリームを示すエントリを少なくとも有する拡張ストリーム情報を生成し、
前記一次映像基本ストリーム、前記映像処理基本ストリーム、及び、前記拡張ストリーム情報を有する前記フォーマットされた映像信号を生成する、
ように構成され、
前記映像処理基本ストリームにおける前記映像処理メタデータが、映像及びグラフィックと、サブタイトルのうちの少なくとも１つとを有する各データタイプのための前記変換をそれぞれ規定している複数の異なる処理記述子を有する拡張範囲情報フィールドを有する、映像処理装置。
【請求項６】
標準化された転送フォーマットに従ってフォーマットされた映像信号を処理するための映像再生器であって、前記標準化された転送フォーマットは、選択可能な基本ストリーム、及び、前記標準化された転送フォーマットに従った共通構造を持ち、前記基本ストリームの選択された組み合わせにおいてレンダリングされるオーディオビジュアルコンテンツを表す基本ストリームを示すエントリを持つストリーム情報を規定しており、各基本ストリームは、映像コンテンツ、オーディオコンテンツ、グラフィックコンテンツのいずれかを表しており、
前記フォーマットされた映像信号は、標準範囲を持つ標準映像コンテンツに対し、輝度及び／又は色の拡張範囲を持つ拡張映像を表しており、前記標準範囲は、前記標準化された転送フォーマットにおいて規定されており、
前記フォーマットされた映像信号は、
前記共通構造を持つがオーディオビジュアルコンテンツを有さず、前記選択された組み合わせをレンダリングする際の変換のための前記映像処理メタデータを有する映像処理基本ストリームと、
前記標準映像を表す一次映像基本ストリーム、及び、前記標準映像と前記拡張映像との間の変換を表す前記映像処理メタデータ、あるいは、
前記拡張映像を表す一次映像基本ストリーム、及び、前記拡張映像と前記標準映像との間の変換を表す前記映像処理メタデータ、を有し、
前記フォーマットされた映像信号は、更に、
前記一次映像基本ストリームを示すエントリと、前記映像処理基本ストリームを示すエントリとを少なくとも有する拡張ストリーム情報を有し、前記映像処理基本ストリームにおける前記映像処理メタデータが、映像及びグラフィックと、サブタイトルのうちの少なくとも１つとを有する各データタイプのための前記変換をそれぞれ規定している複数の異なる処理記述子を有する拡張範囲情報フィールドを有し、
前記再生器は、
前記フォーマットされた映像信号を受信し、前記拡張ストリーム情報及び前記映像処理メタデータを抽出するための入力ユニットと、
映像処理基本ストリームを示す前記拡張ストリーム情報エントリに依存して、前記拡張ストリーム情報を処理し、前記の各処理記述子を使用する一方、前記映像処理メタデータに従って前記一次映像を処理することによって、前記一次映像基本ストリームから、ターゲットディスプレイ装置の輝度及び／又は色レンダリング性能に適合したターゲット映像に、一次映像を変換するための処理ユニットと、
を有する、映像再生器。
【請求項７】
前記変換が、前記一次映像基本ストリームにおける前記映像に対して可逆マッピングを適用することによる可逆的変形であり、前記映像処理基本ストリームにおける前記映像処理メタデータが、前記マッピング上の情報を有し、
前記処理ユニットが、前記映像処理メタデータに従って前記マッピングを適用することによって前記変換のために構成されている、請求項６記載の映像再生器。
【請求項８】
前記フォーマットされた映像信号は、前記一次映像基本ストリーム及び前記映像処理基本ストリームを含む転送ストリームを有し、
前記入力ユニットは、前記転送ストリームを受信し、前記転送ストリームから、前記一次映像基本ストリーム及び前記映像処理基本ストリームを抽出するように構成されている、あるいは、
前記フォーマットされた映像信号は、前記一次映像基本ストリームを含む第１の転送ストリームと、前記映像処理基本ストリームを含む第２の転送ストリームと、を有し、
前記入力ユニットは、前記第１及び第２の転送ストリームを受信し、前記第１の転送ストリームから、前記一次映像基本ストリームを抽出するとともに、前記第２の転送ストリームから、前記映像処理基本ストリームを抽出するように構成されている、請求項６又は７に記載の映像再生器。
【請求項９】
前記入力ユニットは、光記録媒体を読み出し、
請求項６記載の前記転送ストリーム、又は、
請求項７記載の前記第１の転送ストリーム、又は、
請求項７記載の前記第１の転送ストリーム及び前記第２の転送ストリーム、
を抽出するための光ディスクユニットを有する、請求項７又は８に記載の映像再生器。
【請求項１０】
前記入力ユニットは、サーバからローカルストレージに、前記映像処理基本ストリーム及び前記拡張ストリーム情報をダウンロードするためのネットワークインタフェースを有し、
前記処理ユニットは、以前に受信したストリーム情報を前記拡張ストリーム情報で置き換えるように構成されている、請求項６乃至９のいずれか１項に記載の映像再生器。
【請求項１１】
標準化された転送フォーマットに従って転送するための映像信号の信号フォーマットであって、前記標準化された転送フォーマットは、選択可能な基本ストリーム、及び、前記標準化された転送フォーマットに従った共通構造を持ち、前記基本ストリームの選択された組み合わせにおいてレンダリングされるオーディオビジュアルコンテンツを表す基本ストリームを示すエントリを持つストリーム情報を規定しており、各基本ストリームは、映像コンテンツ、オーディオコンテンツ、グラフィックコンテンツのいずれかを表しており、
前記映像信号は、標準範囲を持つ標準映像コンテンツに対し、輝度及び／又は色の拡張範囲を持つ拡張映像を表しており、前記標準範囲は、前記標準化された転送フォーマットにおいて規定されており、
前記映像信号は、
前記共通構造を持つがオーディオビジュアルコンテンツを有さず、前記選択された組み合わせをレンダリングする際の変換のための前記映像処理メタデータを有する映像処理基本ストリームと、
前記標準映像を表す一次映像基本ストリーム、及び、前記標準映像と前記拡張映像との間の変換を表す前記映像処理メタデータ、あるいは、
前記拡張映像を表す一次映像基本ストリーム、及び、前記拡張映像と前記標準映像との間の変換を表す前記映像処理メタデータ、
を有し、
前記映像信号は、更に、
前記一次映像基本ストリームを示すエントリと、前記映像処理基本ストリームを示すエントリとを少なくとも有する拡張ストリーム情報を有し、
前記映像処理基本ストリームにおける前記映像処理メタデータが、映像及びグラフィックと、サブタイトルのうちの少なくとも１つとを有する各データタイプのための前記変換をそれぞれ規定している複数の異なる処理記述子を有する拡張範囲情報フィールドを有する、信号フォーマット。
【請求項１２】
前記映像信号は、
前記一次映像基本ストリームと、
前記映像処理基本ストリームと、
を含む転送ストリームを有し、
前記変換が、前記一次映像基本ストリームにおける前記映像に対して可逆マッピングを適用することによる可逆的変形であり、前記映像処理基本ストリームにおける前記映像処理メタデータが、前記マッピング上の情報を有する、請求項１１記載の信号フォーマット。
【請求項１３】
前記映像信号は、ブロードキャスト信号であり、前記転送ストリームは、プログラムに特有の情報の形式で前記拡張ストリーム情報を有する、請求項１２記載の信号フォーマット。
【請求項１４】
前記映像信号は、
前記一次映像基本ストリームを含む第１の転送ストリーム、及び、
前記映像処理基本ストリームを含む第２の転送ストリーム、又は、
再生器が前記映像処理基本ストリームをどこでダウンロードするのかに関して定めるネットワークデータを持つファイル、を有する、請求項１１記載の信号フォーマット。
【請求項１５】
光読み取り可能なマークのトラックを有する記録媒体であって、
前記マークは、
請求項１１又は１２に記載の、前記一次映像基本ストリーム及び前記映像処理基本ストリームを含む前記拡張ストリーム情報及び前記転送ストリームを表し、又は、
請求項１４記載の、前記拡張ストリーム情報、前記一次映像基本ストリームを含む前記第１の転送ストリーム、及び、前記映像処理基本ストリームを含む前記第２の転送ストリームを表し、又は、
請求項１４記載の、前記拡張ストリーム情報及び前記第１の転送ストリームを表すが、前記第２の転送ストリームを表さない、記録媒体。
【請求項１６】
前記映像処理基本ストリームは、
対応する映像フレームのシーケンスとそれぞれ対応付けられた映像処理セグメントのシーケンス、及び／又は、
ディスプレイ装置の輝度又は色レンダリング能力に依存して、前記映像の輝度レベル及び／又は色空間に適合させるための指示、及び／又は、
ディスプレイ装置の輝度又は色レンダリング能力に依存して、グラフィックの輝度レベル及び／又は色空間に適合させるための指示、
を有する、請求項１５記載の記録媒体。